【手続補正書】
【提出日】平成19年3月29日(2007.3.29)
【手続補正１】
【補正対象書類名】特許請求の範囲
【補正対象項目名】全文
【補正方法】変更
【補正の内容】
【特許請求の範囲】
【請求項１】
オイル・ジャッキのオイル・ポンプを作動させるピストン・ストローク駆動入力手段を、バーのてこ作用による上下動作とは異なるバーの回転動作で入力可能とすることを特徴とする携帯オイル・ジャッキのオイル・ポンプ駆動装置。
【請求項２】
請求項１の回転動作の入力操作が、カム機構を採用する手段において、所要とするピストン・ストロークがカム・リフト動作を介して円滑にして支障なくできるようにするため、カムと当接するピストン頂部に回動自在構造のローラ装置を設けたことを特徴とする請求項１記載の携帯オイル・ジャッキのオイル・ポンプ駆動装置。
【請求項３】
回動自在構造のローラ装置が、ローラ・シャフトを中心軸とするニードル・ベアリングで構成されて成ることを特徴とする請求項２記載の携帯オイル・ジャッキのオイル・ポンプ駆動装置。
【手続補正２】
【補正対象書類名】明細書
【補正対象項目名】全文
【補正方法】変更
【補正の内容】
【発明の詳細な説明】
【発明の名称】携帯オイル・ジャッキのオイル・ポンプ駆動装置
【技術分野】
【０００１】
本発明は、オイル・ポンプのピストン・ストロークを回転動作で入力可能とする携帯オイル・ジャッキのオイル・ポンプ駆動装置に関するものである。
【背景技術】
【０００２】
一般に携帯オイル・ジャッキのオイル・ポンプは、所定長さ寸法を有して取り付けできるバーによる簡単な手動のてこ操作で、ポンプ・シリンダ内を上下動させるピストン・ストロークにより作動オイルをオイル・ジャッキ本体に圧送し、オイル・ジャッキ本体のパワー・ピストンを介して容易に強力なジャッキ効果が期待できることから、多くの産業分野で広く実用に供されている。
【０００３】
しかし、オイル・ジャッキ本体に作動オイルを圧送するためポンプ・シリンダ内でピストンを上下動させるバーによるてこ動作は、その所要とするバー長さと共に手動操作の上下動作が大きくなることから、ジャッキ効果を発揮させるためには該バーの手動てこ操作において充分な動作余裕空間を確保する必要がある。
【０００４】
このため限られた場所では、オイル・ポンプのピストン頭部に取り付けられるてこ操作用のバーの所要長さ寸法及び作動オイル圧送時諸条件での必要かつ確実な手動操作の確保困難であることから、オイル・ジャッキとして本来の機能が充分に発揮できないという大きな問題点があった。
【特許文献１】特開２００３ー２３９８５２号公報
【発明の開示】
【発明が解決しようとする課題】
【０００５】
解決しようとする課題は、パワー・ピストン機構に作動オイルを圧送するオイル・ポンプにおけるピストンの手動操作において、バーによる上下動のてこ操作では、オイル・ジャッキの使用現場が極めて狭い範囲に限定されてしまうという点である。
【課題を解決するための手段】
【０００６】
本発明は、オイル・ポンプのピストン上下動操作において、操作場所諸条件に関わらず該操作を可能にするため、オイル・ポンプ駆動をバーによる回転動作入力としてオイル・ポンプのピストンに所要の上下動を可能とするカム・リフト機構を採用することで解決を計るものであるが、該入力諸条件においてカム・リフト動作を介しピストンが所要とする作動を円滑にして効率よく行うことができるようにするために、該カムと当接するピストン頂部に回動自在構造のローラ装置を一体構成し設けたことを最も主要な特徴とする。
【発明の効果】
【０００７】
本発明の携帯オイル・ジャッキのオイル・ポンプ駆動装置は、オイル・ポンプ駆動入力手段をバーによるてこ操作とは異なる回転方法で、該ピストンの所要とする上下動ストロークをカムの回転を介して行うため、回転動作入力はフック部又はソケット部に連結するバーの回転操作でできることから、オイル・ジャッキの使用場所諸条件に関わらず容易に所要の手動操作ができるという大きな利点がある。また、バーの回転方向は左右どちらでもよいという利便性がある。
【０００８】
カムが当接するピストン頂部に回動自在構造のローラ装置を設けたことは、カム・リフトを介して行われる所要動作をピストンが円滑にして効率よくタッチすることができ、オイル圧送に関わる諸条件において所要とするストローク作動に大いに役立つ。
【０００９】
回動自在構造のローラ装置がローラ・シャフトを中心軸とするニードル・ベアリングで構成されていることは、該ベアリングの有する耐荷重性及び耐衝撃性などの優れた機能性により更なる効率の向上と長期使用に耐えうるという大きな利点がある。
【発明を実施するための最良の形態】
【００１０】
携帯オイル・ポンプのピストン上下動ストロークの駆動方法において、操作場所諸条件を問わず容易に所要操作可能とする目的を、スプリング、カム、ギヤなどからなるシンプルな構成において更に伝達効率の良いローラ装置を機能構成することでバーによる回転入力操作を容易なものとし、オイル・ポンプの所要とするポンプ機能を損なわずに実現した。
【実施例１】
【００１１】
本発明に関わる一実施例で、図１は主要部の構成を示す部分断面図であって、図２は図１の平面図、図３は本発明装置の一実施例でカム５とローラ装置の状態を示す説明図である。
【００１２】
本発明の主体は、オイル・ジャッキ本体に所要の作動オイルを圧送するオイル・ポンプ装置におけるピストン上下動ストロ−ク駆動入力系の実装方法にあるので、オイル・ジャッキに関わる油圧システム系及び機構系の説明は省略する。
以下図面に基づいて詳細に説明する。
【００１３】
図１と２において、ポンプ・シリンダ２の上端部外に常時突出するピストン３の上端部分に形成するピストン頂部３’は、後述のカム・シャフト６の回転でカム５の行うカム・リフトによるアップ・ダウン動作の動力が、ピストン頂部３’を介してオイル・ポンプのポンプ機能を損なうことなく容易に伝達できるように、カム５との当接面が硬質の表面処理加工がなされているものである。
【００１４】
ピストン頂部３’の下側位置にピストン３と同心円で下方を開口する浅い筒状で形成され、後述のコイル・スプリング４の一方の巻き終わり端部を支え収納するためのスプリング・シート４’がピストン３に強固に固定装着されている。
そして、コイル・スプリング４は、ポンプ・シリンダ２の外径寸法より若干大きめの内径を有し、スプリング・シート４’の支え面からポンプ・シリンダ２の基部との間を、ポンプ・シリンダ２を中心軸としてポンプ・シリンダ２におけるピストン３の機能を妨げることなく所要のばね力を構成し、スプリング・シート４’を介してピストン３が上昇位置を常に維持できるようにし、ピストン３の押圧下降ストロークの解除後、直ちに該ばね力により上昇ストロークに転じ上昇位置に復元するようになされているものである。
【００１５】
カム５は、ポンプ・シリンダ２内におけるピストン３のポンプ機能を損ない又は妨げることなく容易にかつ効率よく伝達できるように、ピストン頂部３’との当接面が硬質の表面処理加工がなされ、カム５におけるピストン３の押圧下降ストロ−ク及び上昇ストローク時にそれぞれに所要とするカム・リフト寸法からなるカム高さ及び形状を有してカム・シャフト６に一体形成され、カム・シャフト６に取り付けられるカム・ギヤ８’により回転駆動されるものである。
【００１６】
図３は本発明の一実施例で、ピストン頂部３’にローラ・シャフト６”を中心軸とするニードル・ベアリングからなる回転自在構造のローラ７の装置を構成することで、ポンプ・ピストンの所要とする上下動ストロークを機能させるためにカム５の構成するカム・リフト動作が、ピストン頂部３’に一体構成される該ローラ７の装置の有する耐荷重性及び耐衝撃性からなる特性を介して所要の伝達動作が円滑にタッチされることで、効率が更に向上されるようになされたものである。
【００１７】
カム・シャフト６を回転させるため所要のギヤ比を構成するギヤ機構は、外部からの回転駆動を伝達するため連結用のフック部１０を外側端部に設ける駆動シャフト６’にギヤ・ケース９内で取り付けられる駆動ギヤ８と、これと組み合うカム・ギヤ８’とで構成されているものである。
ギヤ・ケース９内において、駆動ギヤ８とカム・ギヤ８’とで構成するギヤ機構は、所要の回転トルクをカム・シャフト６に発生させるためのギヤ比が構成されるものである。
駆動ギヤ８とカム・ギヤ８’との回転を損なうことなく駆動シャフト６’とカム・シャフト６を支えるギヤ・ケース９は、密閉構造の筐体で駆動ギヤ８とカム・ギヤ８’を収納するギヤ室１１とカム室１２とに二分され、カム室１２におけるカム５がポンプ・シリンダ２の直上にあって、ピストン頂部３’に当接するカム５の有する所定カム・リフトが、ポンプ・シリンダ２のポンプ機能を損なうことなく行うことのできるようにその取り付け高さ寸法が設定されているものである。
なお、ギヤ・ケース９は、フック部１０を介して駆動入力される駆動シャフト６’の回動機能を損なうことなく、オイル・ジャッキ本体１に沿って一体構成で剛性を有し、かつ該オイル・ジャッキ機能を妨げることなく固定装置されるものである。
【産業上の利用可能性】
【００１８】
携帯オイル・ジャッキ・アップ操作が、カム・リフト伝達機構に耐荷重性及び耐衝撃性などの特性を有する回転自在構造のローラ装置を機能構成するギヤ・ケース９を介し、着脱自在のバーにおける回転駆動を可能とすることによって、狭隘又は狭窄な現場においての携帯オイル・ポンプの駆動入力を必要とする用途に適用できる。
【図面の簡単な説明】
【００１９】
【図１】本発明装置に関わるオイル・ポンプ駆動装置を構成するスプリング、カム、ギヤの各機構を収納するギヤ・ケース９の部分縦断面図である。（実施例１）
【図２】図１の平面図である。
【図３】本発明装置でカム５と当接するローラ装置の説明図である。（実施例２）
【符号の説明】
【００２０】
１  オイル・ジャッキ本体
２  ポンプ・シリンダ
３  ピストン
３’  ピストン頂部
４  コイル・スプリング
４’スプリング・シート
５  カム
６  カム・シャフト
６’  駆動シャフト
６”  ローラ・シャフト
７  ローラ
８  駆動ギヤ
８’  カム・ギヤ
９  ギヤ・ケース
１０  フック部
１１  ギヤ室
１２  カム室